(57)【要約】      （修正有） 【課題】ルアー本体に取付けられるフックに対し迅速かつ容易に、しかも確実強固にブレードを接続することができ、ブレードの集魚効果とフックの魚ヒット効果の双方を充分に発揮することのできるルアーのフックに対するブレード取付け具を提供する。【解決手段】一方部分に集魚用ブレードを取付ける接続部材５の他方部分には、コイルスプリング体７の一方部分を係止するとともに、コイルスプリング体７の他方部分は軸体２１の一端部をルアー本体に揺動自在に取付け軸体他端部にトリプルフック、ダブルフック等の魚掛け用フック部２３ａ〜２３ｃを形成してなるフック本体２の軸体２１に抜け出し不可能な状態で巻回係止されることを特徴とする。【選択図】図５
0003152663.tif 000002
【実用新案登録請求の範囲】
【請求項１】
一方部分に集魚用ブレードを取付ける接続部材の他方部分には、コイルスプリング体の一方部分を係止するとともに、前記コイルスプリング体の他方部分は軸体の一端部をルアー本体に揺動自在に取付け軸体他端部にトリプルフック、ダブルフック等の魚掛け用フック部を形成してなるフック本体の軸体に抜け出し不可能な状態で巻回係止されることを特徴とするルアーのフックに対するブレード取付け具
【請求項２】
コイルスプリング体の他方部分の開放端部に軸体から分岐した複数の魚掛け用フック部を順次挿入して前記コイルスプリング体をフック本体に巻回してフック本体の軸体に抜け出し不可能な状態で巻回係止されることを特徴とする請求項１に記載のルアーのフックに対するブレード取付け具。
【請求項３】
コイルスプリング体は開放端部に行くに従い周径を大径としてなることを特徴とする請求項１または請求項２に記載のルアーのルアーに対するブレード取付け具。
【請求項４】
一方部分に集魚用ブレードを取付ける接続部材の他方部分にコイルスプリング体の一方部分を巻回し前記スプリング体に対して前記接続部材を回転自在に係止したことを特徴とする請求項１乃至請求項３のいずれかに記載のルアーのフックに対するブレード取付け具。
【請求項５】
接続部材には巻回係止してなるコイルスプリング体の一方部分の抜け出しを防止するためのストッパー用段部を形成したことを特徴とする請求項１乃至請求項４のいずれかに記載のルアーのフックに対するブレード取付け具。
【請求項６】
集魚用ブレードはリングを介して接続部材の一方部分に回転自在に取付けられてなることを特徴とする請求項１乃至請求項５のいずれかに記載のルアーのフックに対するブレード取付け具。
【考案の詳細な説明】
【技術分野】
【０００１】
本考案は、集魚効果のあるブレードと魚を掛けるためのフックを備えたルアーの改良に関するものである。 
【背景技術】
【０００２】
釣りの擬似餌として種々のルアーが存在する。通常この種のルアーにあっては、ルアー本体の後方部に連結リングを介して集魚効果のあるブレードを連結するとともに、ルアー本体の腹部にトリプルフック、ダブルフック等の魚掛け用フックが取付けられている。ブレードの集魚効果により、ルアー本体に食い付かんとする魚をフックに掛けてヒットせんとするものであり、ブレードは回転により光反射や音をお発生させ魚に興味をいだかせるために種々工夫がこらされている。
【０００３】
【特許文献１】特開２００７−２２８９５１号公報
【特許文献２】特開２００８−５４５２３号公報
【特許文献３】実用新案登録第３１４５５８７号公報
【考案の開示】
【考案が解決しようとする課題】
【０００４】
前述したようにルアー本体に回転自在に取付けられたブレードの集魚効果により魚はブレードに興味をいだきルアー本体に近寄り、食い付かんとするものであるが、ブレード自体にはトリプルフック、ダブルフック等の魚掛け用フックが取付けられていないことから、結局のところブレード自体に食い付かんとする魚はヒットすることができない。
【０００５】
すなわち従来のルアーにあってはブレードは集魚効果のみを発揮するものであり、魚のヒット機能は備えておらず、ブレードとは別に取付けられたトリプルフック、ダブルフック等のフックにまかせられていた 。
【０００６】
ブレード自体に魚が集まってくることは明らかであることから、ブレードにもフック機能を持たせることができれば、より効率の良い釣果をあげることが期待できる。
【０００７】
しかしながら、ブレードにフックを取付け形成し、何等支障なく所要のブレード効果及びフック機能を発揮する一体的なフック付きブレードを製作することは極めて手間がかかり困難である。
【０００８】
本考案にあっては、ルアー本体に取付けられるフックに対し迅速かつ容易に、しかも確実強固にブレードを接続することができ、ブレードの集魚効果とフックの魚ヒット効果の双方を充分に発揮することのできるルアーのフックに対するブレード取付け具を提供することを第１の目的とする。
【０００９】
本考案の第２の目的は、フックに対するブレード接続部材が従来の如く大径で複雑な形状からなり多くの突出部を有することから、水流抵抗があり、また魚掛け用フック部を充分に露出することのできないという致命的な欠点を解決し、極めてシンプルな形状からなるスプリング体を巻きつけていく形態とすることにより、いったん巻きつけた後はブレードはフック本体より決して外れたりすることがないことは勿論のこと、水流抵抗も少なくブレードは何等支障なく好適な搖動運動をして集魚機能を発揮することができるとともに、フック部も充分に露出していることから確実に魚掛け機能も発揮することのできるルアーのフックに対するブレード取付け具を提供することにある。
【００１０】
本考案の第３の目的は、接続部材はシンプルなコイルスプリング状からなり製造に除し、金型を要さず安価に製造することができるルアーのフックに対するブレード取付け具を提供することにある。
【課題を解決するための手段】
【００１１】
以上の課題を解決するために、ルアーのフックに対するブレード取付け具は、  一方部分に集魚用ブレードを取付ける接続部材の他方部分には、コイルスプリング体の一方部分を係止するとともに、前記コイルスプリング体の他方部分は軸体の一端部をルアー本体に揺動自在に取付け軸体他端部にトリプルフック、ダブルフック等の魚掛け用フック部を形成してなるフック本体の軸体に抜け出し不可能な状態で巻回係止されることを特徴とするルアーのフックに対するブレード取付け具
【００１２】
コイルスプリング体の他方部分の開放端部に軸体から分岐した複数の魚掛け用フック部を順次挿入して前記コイルスプリング体をフック本体に巻回してフック本体の軸体に抜け出し不可能な状態で巻回係止されることを特徴とする。
【００１３】
コイルスプリング体は開放端部に行くに従い周径を大径としてなることを特徴とする。
【００１４】
一方部分に集魚用ブレードを取付ける接続部材の他方部分にコイルスプリング体の一方部分を巻回し前記スプリング体に対して前記接続部材を回転自在に係止したことを特徴とする。
【００１５】
接続部材には巻回係止してなるコイルスプリング体の一方部分の抜け出しを防止するためのストッパー用段部を形成したことを特徴とする。
【００１６】
集魚用ブレードはリングを介して接続部材の一方部分に回転自在に取付けられてなることを特徴とする。
【考案の効果】
【００１７】
本考案のルアーのフックに対するブレード取付け具によれば、ルアーのフックに対するブレード取付け具は、  一方部分に集魚用ブレードを取付ける接続部材の他方部分には、コイルスプリング体の一方部分を係止するとともに、前記コイルスプリング体の他方部分は軸体の一端部をルアー本体に揺動自在に取付け軸体他端部にトリプルフック、ダブルフック等の魚掛け用フック部を形成してなるフック本体の軸体に抜け出し不可能な状態で巻回係止したことからルアー本体に取付けられるフックに対し迅速かつ容易に、しかも確実強固にブレードを接続することができることは勿論のこと、極めてシンプルな形状からなるスプリング体を巻きつけていく形態とすることにより、いったん巻きつけた後はブレードはフック本体より決して外れたりすることがないことは勿論のこと、水流抵抗も少なくブレードは何等支障なく好適な搖動運動をして集魚機能を発揮することができるとともに、フック部も充分に露出していることから確実に魚掛け機能も発揮することができる。また、接続部材はシンプルなコイルスプリング状からなり製造に除し、金型を要さず安価に製造することができる。
【００１８】
コイルスプリング体の他方部分の開放端部に軸体から分岐した複数の魚掛け用フック部を順次挿入して前記コイルスプリング体をフック本体に巻回してフック本体の軸体に抜け出し不可能な状態で巻回係止することにより、コイルスプリング体を回転させながら開放端部を魚掛け用フック部に巻きつけていくだけで、ルアーのフックに対して容易かつ確実強固にブレードを取付けることができる。
【００１９】
また、コイルスプリング体の開放他方部分は開放端部に行くに従い周径を大径としてなることからコイルスプリング体の開放他方部分は迅速かつ容易にフック本体の軸体に抜け出し不可能な状態にて係止固定される。
【００２０】
一方部分に集魚用ブレードを取付ける接続部材の他方部分にコイルスプリング体の一方部分を巻回し前記スプリング体に対して前記接続部材を回転自在に係止したことにより、接続部材に取付けられたブレードが水中で回動運動し、さらなる集魚機能を発揮することができる。
【００２１】
また、接続部材には巻回固定してなるコイルスプリング体の一方部分の抜け出しを防止するためのストッパー用段部を形成したことから一方部分にブレードを接続してなる接続部材から決して離脱することはない。
【００２２】
また、集魚用ブレードはリングを介して接続部材の一方部分に回転自在に取付けられていることから、好適な集魚効果を発揮することができる。
【考案を実施するための最良の形態】
【００２３】
図１は、本考案のルアーのフックに対するブレード取付け具８を備えたルアーを示すものであり、１はルアー本体、２は軸部２１の一端部に形成された輪部２２をリング３を介してルアー本体１に揺動自在に取付けるとともに、他端部にトリプルフック、ダブルフック等の魚掛け用フック部２３を備えてなるフック本体である。４はフックに対するブレード取付け具８を介してルアー１に取り付けられる集魚用ブレードである。
【００２４】
本考案のルアーのフックに対するブレード取付け具８は、図２に示すように、
集魚用ブレードを取付ける接続部材５と、接続部材５に取付けられたコイルスプリング７から形成されている。
【００２５】
接続部材５の一方部分には、ブレード４を接続する魚用ブレードの取付け部としてのリング６の挿通用孔部５ｂが形成され集魚用ブレード４をリング６を介して回転自在に取付けられ好適な集魚効果を発揮するようになっている。
【００２６】
接続部材５とコイルスプリング７の取付け状態は、コイルスプリング７の一方部分７ａを接続部材５の他方部分に巻回して接続部材５がコイルスプリング７に対して回転自在な状態に係止するものであり、巻回後の抜け出しを防止すべく接続部材５の他方部分には周径を巻回部より大径としてなる段部５ａが形成されている。尚、接続部材５とコイルスプリング７の取付け状態は、上述した巻回係止に限られるものではなく、接着、溶着等により固定してもよい。
【００２７】
コイルスプリング７は他方部分７ｂ端部が開放端となっていて、他方部分７ｂはフック本体２に抜け出し不可能な状態で巻回係止されるものであって、その取付け方法と取り付け状態につき図４〜図６に基づき説明する。
【００２８】
図４に示すごとく、コイルスプリング７の開放他方部分７ｂの開放端に、フック本体２の軸部２１から分岐する魚掛け用フック部２３を順次挿入するようにしてコイルスプリング７を回転させながら軸部２１に巻回係止するようになっている。
【００２９】
すなわち、軸部２１から分岐する魚掛け用フック部２３が３本のトリプルフックと呼ばれるフック本体２にあっては、図３に示すごとく第一の魚掛け用フック部２３ａにコイルスプリング７の他方部分７ｂの開放端を引っ掛ける。
【００３０】
そして図４に示すごとく、第一の魚掛け用フック部２３ａにコイルスプリング７の開放他方部分７ｂを引っ掛けた状態のままコイルスプリング７の巻回方向（図４においては右回り）に回転させていき、図５に示すように次の第二の魚掛け用フック部２３ｂにコイルスプリング７の開放他方部分７ｂを引っ掛けた状態でコイルスプリング７の巻回方向（図５においては右回り）に回転させる。
【００３１】
最後に第三の魚掛け用フック部２３ｃにコイルスプリング７の開放他方部分７ｂを引っ掛けた状態でコイルスプリング７の巻回方向に回転させていく。
【００３２】
このようにして、図６に示すようにコイルスプリング７内方に軸部２１がおさまってフック本体２の軸部２１に抜け出し不可能な状態で巻回係止されるようになっている。
【００３３】
そして、軸部２１から分岐する魚掛け用フック部２３は、スプリング７の周径より広がっているために魚掛け用フック部２３がストッパーとなって、コイルスプリング７はフック本体２から抜け落ちないようになっている。
【００３４】
尚、上述の実施の形態においては、トリプルフックを例にとって説明したが、軸部２１から分岐する魚掛け用フック部２３の数はこれに限られるものではなく、分岐が２本のダブルフックであってもよいし、それ以上の本数であってもよい。
【図面の簡単な説明】
【００３５】
【図１】本考案のルアーのフックに対するブレード取付け具を備えたルアーを示す側面図。
【図２】本考案のルアーのフックに対するブレード取付け具の側面図。
【図３】本考案のルアーのフックに対するブレード取付け具をフック本体に取り付ける工程を示す側面図。
【図４】本考案のルアーのフックに対するブレード取付け具をフック本体に取り付ける工程を示す側面図。
【図５】本考案のルアーのフックに対するブレード取付け具をフック本体に取り付ける工程を示す側面図。
【図６】本考案のルアーのフックに対するブレード取付け具にブレードを取り付けた状態を示す側面図。
【符号の説明】
【００３６】
１    ルアー
２    フック本体
２１  軸部
２２  輪部
２３  魚掛け用フック部
３    リング
４    ブレード
５    接続部材
５ａ  段部
５ｂ  挿通用孔部
６    リング
７    コイルスプリング
７ａ  一方部分
７ｂ  開放他方部分
８    ルアーのフックに対するブレード取付け具
【図１】
0003152663.tif 000003
【図２】
0003152663.tif 000004
【図３】
0003152663.tif 000005
【図４】
0003152663.tif 000006
【図５】
0003152663.tif 000007
【図６】
0003152663.tif 000008